【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のワイヤレス通信のための方法であって、前記方法は、
リレーＵＥのセットに、リレー接続の確立に関連付けられた第１のメッセージを送信することと、ここで、前記第１のメッセージが前記ＵＥの第１の識別子を含むためのものである、
前記ＵＥによって、リレーＵＥの前記セットから第２のメッセージのセットを受信することと、ここで、第２のメッセージの前記セットのうちの各第２のメッセージが、リレーＵＥの前記セットのうちのそれぞれのリレーＵＥのそれぞれの識別子を含むためのものであり、ここにおいて、前記第１の識別子および前記それぞれの識別子がリンクレイヤ識別子である、
リレーＵＥの前記セットのうちの第１のリレーＵＥからの、第２のメッセージの前記セットのうちの第１の第２のメッセージに基づいて、前記第１のリレーＵＥとの前記リレー接続を確立することと、ここにおいて、前記第２のメッセージが、物理サイドリンク共有チャネル（ＰＳＳＣＨ）を介して受信されるリレー関連付けメッセージを備え、ここで、前記リレー関連付けメッセージが、前記リレーＵＥを通して利用可能なサービスを示す情報を含み、ここにおいて、対応するスケジューリング割当てが物理サイドリンク制御チャネル（ＰＳＣＣＨ）を介して受信される、
を備える、方法。
【請求項２】
前記ＵＥによって、第２のメッセージの前記セットのうちの前記第１の第２のメッセージに基づいて、リレーＵＥの前記セットのうちの前記第１のリレーＵＥに第３のメッセージを送信することをさらに備え、前記第３のメッセージは、前記第１のリレーＵＥとの前記リレー接続が確立されるべきであることを確認するためのものである、
請求項１に記載の方法。
【請求項３】
前記ＵＥによって、第２のメッセージの前記セットのうちの別の第２のメッセージに基づいて、リレーＵＥの前記セットのうちの第２のリレーＵＥに第４のメッセージを送信することをさらに備え、前記第４のメッセージが、前記第２のリレーＵＥとのリレー接続の確立を拒否するためのものである、
請求項２に記載の方法。
【請求項４】
前記ＵＥによって、リレーＵＥの前記セットのうちの第２のリレーＵＥに第４のメッセージを送信することを控えること
をさらに備える、請求項２に記載の方法。
【請求項５】
前記第１のメッセージは、前記リレー接続に関連付けられたサービス要件、前記ＵＥが前記リレー接続を通して接続すべきであるワイヤレス通信ネットワークの識別情報、任意のワイヤレス通信ネットワークとの前記リレー接続を確立するとの指示、またはリレーＵＥの前記セットのうちの少なくとも１つのリレーＵＥに関連付けられた少なくとも１つの識別子のうちの１つまたは複数をさらに含む、請求項１に記載の方法。
【請求項６】
前記第１のメッセージが、物理サイドリンク発見チャネル（ＰＳＤＣＨ）上でブロードキャストされる近接ベースサービス（ＰｒｏＳｅ）発見メッセージを備える、請求項１に記載の方法。
【請求項７】
前記ＵＥによって、リレーＵＥの前記セットのうちの前記第１のリレーＵＥに第５のメッセージを送信することをさらに備え、前記第５のメッセージが、前記リレー接続を終了するためのものである、
請求項１に記載の方法。
【請求項８】
第２のメッセージの前記セットのうちの別の第２のメッセージに基づいて、リレーＵＥの前記セットのうちの第２のリレーＵＥに関連付けられた情報を記憶すること
をさらに備える、請求項１に記載の方法。
【請求項９】
前記記憶された情報に基づいて前記第２のリレーＵＥとの別のリレー接続を確立すること
をさらに備える、請求項８に記載の方法。
【請求項１０】
ユーザ機器（ＵＥ）によるワイヤレス通信のための装置であって、
リレーＵＥのセットに、リレー接続の確立に関連付けられた第１のメッセージを送信するための手段と、ここで、前記第１のメッセージが前記ＵＥの第１の識別子を含むためのものである、
前記ＵＥによって、リレーＵＥの前記セットから第２のメッセージのセットを受信するための手段と、ここで、第２のメッセージの前記セットのうちの各第２のメッセージが、リレーＵＥの前記セットのうちのそれぞれのリレーＵＥのそれぞれの識別子を含むためのものであり、ここにおいて、前記第１の識別子および前記それぞれの識別子がリンクレイヤ識別子である、
リレーＵＥの前記セットのうちの第１のリレーＵＥからの、第２のメッセージの前記セットのうちの第１の第２のメッセージに基づいて、前記第１のリレーＵＥとの前記リレー接続を確立するための手段と、ここにおいて、前記第２のメッセージが、物理サイドリンク共有チャネル（ＰＳＳＣＨ）を介して受信されるリレー関連付けメッセージを備え、ここで、前記リレー関連付けメッセージが、前記リレーＵＥを通して利用可能なサービスを示す情報を含み、ここにおいて、対応するスケジューリング割当てが物理サイドリンク制御チャネル（ＰＳＣＣＨ）を介して受信される、
を備える、装置。
【請求項１１】
送信するための前記手段が、第２のメッセージの前記セットのうちの前記第１の第２のメッセージに基づいて、リレーＵＥの前記セットのうちの前記第１のリレーＵＥに第３のメッセージを送信するようにさらに構成され、前記第３のメッセージは、前記第１のリレーＵＥとの前記リレー接続が確立されるべきであることを確認するためのものである、請求項１０に記載の装置。
【請求項１２】
送信するための前記手段が、第２のメッセージの前記セットのうちの別の第２のメッセージに基づいて、リレーＵＥの前記セットのうちの第２のリレーＵＥに第４のメッセージを送信するようにさらに構成され、前記第４のメッセージが、前記第２のリレーＵＥとのリレー接続の確立を拒否するためのものである、請求項１０に記載の装置。
【請求項１３】
送信するための前記手段が、リレーＵＥの前記セットのうちの第２のリレーＵＥに第４のメッセージを送信することを控えるようにさらに構成された、請求項１０に記載の装置。
【請求項１４】
第２のメッセージの前記セットのうちの別の第２のメッセージに基づいて、リレーＵＥの前記セットのうちの第２のリレーＵＥに関連付けられた情報を記憶するための手段
をさらに備える、請求項１０に記載の装置。
【請求項１５】
ユーザ機器（ＵＥ）によるワイヤレス通信のためのコンピュータ実行可能コードを記憶するコンピュータ可読媒体であって、前記コードは、実行されたときに請求項１〜９のいずれか一項に記載の方法をコンピュータに実行させる、コンピュータ可読媒体。
【手続補正２】
【補正対象書類名】明細書
【補正対象項目名】０１３３
【補正方法】変更
【補正の内容】
【０１３３】
[00143]以上の説明は、当業者が本明細書で説明された様々な態様を実施できるようにするために与えられた。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されるいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明された様々な態様の要素のすべての構造的および機能的均等物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供するものではない。「モジュール」、「機構」、「要素」、「デバイス」などという単語は、「手段」という単語の代用でないことがある。したがって、いかなるクレーム要素も、その要素が「ための手段」という句を使用して明確に具陳されていない限り、ミーンズプラスファンクションとして解釈されるべきではない。
以下に、本願の出願当初の特許請求の範囲に記載された発明を付記する。
［Ｃ１］
ユーザ機器（ＵＥ）のワイヤレス通信のための方法であって、前記方法は、
リレーＵＥのセットに、リレー接続の確立に関連付けられた第１のメッセージを送信することと、ここで、前記第１のメッセージが前記ＵＥの第１の識別子を含むためのものである、
前記ＵＥによって、リレーＵＥの前記セットから第２のメッセージのセットを受信することと、ここで、第２のメッセージの前記セットのうちの各第２のメッセージが、リレーＵＥの前記セットのうちのそれぞれのリレーＵＥのそれぞれの識別子を含むためのものである、
リレーＵＥの前記セットのうちの第１のリレーＵＥからの、第２のメッセージの前記セットのうちの第１の第２のメッセージに基づいて、前記第１のリレーＵＥとの前記リレー接続を確立することと
を備える、方法。
［Ｃ２］
前記ＵＥによって、第２のメッセージの前記セットのうちの前記第１の第２のメッセージに基づいて、リレーＵＥの前記セットのうちの前記第１のリレーＵＥに第３のメッセージを送信することをさらに備え、前記第３のメッセージは、前記第１のリレーＵＥとの前記リレー接続が確立されるべきであることを確認するためのものである、
Ｃ１に記載の方法。
［Ｃ３］
前記ＵＥによって、第２のメッセージの前記セットのうちの別の第２のメッセージに基づいて、リレーＵＥの前記セットのうちの第２のリレーＵＥに第４のメッセージを送信することをさらに備え、前記第４のメッセージが、前記第２のリレーＵＥとのリレー接続の確立を拒否するためのものである、
Ｃ２に記載の方法。
［Ｃ４］
前記ＵＥによって、リレーＵＥの前記セットのうちの第２のリレーＵＥに第４のメッセージを送信することを控えること
をさらに備える、Ｃ２に記載の方法。
［Ｃ５］
前記第１のメッセージは、前記リレー接続に関連付けられたサービス要件、前記ＵＥが前記リレー接続を通して接続すべきであるワイヤレス通信ネットワークの識別情報、任意のワイヤレス通信ネットワークとの前記リレー接続を確立するとの指示、またはリレーＵＥの前記セットのうちの少なくとも１つのリレーＵＥに関連付けられた少なくとも１つの識別子のうちの１つまたは複数をさらに含む、Ｃ１に記載の方法。
［Ｃ６］
前記第１のメッセージが、物理サイドリンク発見チャネル（ＰＳＤＣＨ）上でブロードキャストされる近接ベースサービス（ＰｒｏＳｅ）発見メッセージを備える、Ｃ１に記載の方法。
［Ｃ７］
前記第２のメッセージが、物理サイドリンク共有チャネル（ＰＳＳＣＨ）を介して受信されるリレー関連付けメッセージを備え、ここにおいて、対応するスケジューリング割当てが物理サイドリンク制御チャネル（ＰＳＣＣＨ）を介して受信される、Ｃ１に記載の方法。
［Ｃ８］
前記第１の識別子および前記それぞれの識別子がリンクレイヤ識別子である、Ｃ１に記載の方法。
［Ｃ９］
前記ＵＥによって、リレーＵＥの前記セットのうちの前記第１のリレーＵＥに第５のメッセージを送信することをさらに備え、前記第５のメッセージが、前記リレー接続を終了するためのものである、
Ｃ１に記載の方法。
［Ｃ１０］
第２のメッセージの前記セットのうちの別の第２のメッセージに基づいて、リレーＵＥの前記セットのうちの第２のリレーＵＥに関連付けられた情報を記憶すること
をさらに備える、Ｃ１に記載の方法。
［Ｃ１１］
前記記憶された情報に基づいて前記第２のリレーＵＥとの別のリレー接続を確立すること
をさらに備える、Ｃ１０に記載の方法。
［Ｃ１２］
ユーザ機器（ＵＥ）によるワイヤレス通信のための装置であって、
リレーＵＥのセットに、リレー接続の確立に関連付けられた第１のメッセージを送信するための手段と、ここで、前記第１のメッセージが前記ＵＥの第１の識別子を含むためのものである、
前記ＵＥによって、リレーＵＥの前記セットから第２のメッセージのセットを受信するための手段と、ここで、第２のメッセージの前記セットのうちの各第２のメッセージが、リレーＵＥの前記セットのうちのそれぞれのリレーＵＥのそれぞれの識別子を含むためのものである、
リレーＵＥの前記セットのうちの第１のリレーＵＥからの、第２のメッセージの前記セットのうちの第１の第２のメッセージに基づいて、前記第１のリレーＵＥとの前記リレー接続を確立するための手段と
を備える、装置。
［Ｃ１３］
送信するための前記手段が、第２のメッセージの前記セットのうちの前記第１の第２のメッセージに基づいて、リレーＵＥの前記セットのうちの前記第１のリレーＵＥに第３のメッセージを送信するようにさらに構成され、前記第３のメッセージは、前記第１のリレーＵＥとの前記リレー接続が確立されるべきであることを確認するためのものである、Ｃ１２に記載の装置。
［Ｃ１４］
送信するための前記手段が、第２のメッセージの前記セットのうちの別の第２のメッセージに基づいて、リレーＵＥの前記セットのうちの第２のリレーＵＥに第４のメッセージを送信するようにさらに構成され、前記第４のメッセージが、前記第２のリレーＵＥとのリレー接続の確立を拒否するためのものである、Ｃ１２に記載の装置。
［Ｃ１５］
送信するための前記手段が、リレーＵＥの前記セットのうちの第２のリレーＵＥに第４のメッセージを送信することを控えるようにさらに構成された、Ｃ１２に記載の装置。
［Ｃ１６］
前記第１のメッセージは、前記リレー接続に関連付けられたサービス要件、前記ＵＥが前記リレー接続を通して接続すべきであるワイヤレス通信ネットワークの識別情報、任意のワイヤレス通信ネットワークとの前記リレー接続を確立するとの指示、またはリレーＵＥの前記セットのうちの少なくとも１つのリレーＵＥに関連付けられた少なくとも１つの識別子のうちの１つまたは複数をさらに含む、Ｃ１２に記載の装置。
［Ｃ１７］
前記第１のメッセージが、物理サイドリンク発見チャネル（ＰＳＤＣＨ）上でブロードキャストされる近接ベースサービス（ＰｒｏＳｅ）発見メッセージを備える、Ｃ１２に記載の装置。
［Ｃ１８］
前記第２のメッセージが、物理サイドリンク共有チャネル（ＰＳＳＣＨ）を介して受信されるリレー関連付けメッセージを備え、ここにおいて、対応するスケジューリング割当てが物理サイドリンク制御チャネル（ＰＳＣＣＨ）を介して受信される、Ｃ１２に記載の装置。
［Ｃ１９］
前記第１の識別子および前記それぞれの識別子がリンクレイヤ識別子である、Ｃ１２に記載の装置。
［Ｃ２０］
さらに、送信するための前記手段が、リレーＵＥの前記セットのうちの前記第１のリレーＵＥに第５のメッセージを送信するようにさらに構成され、前記第５のメッセージが、前記リレー接続を終了するためのものである、Ｃ１２に記載の装置。
［Ｃ２１］
第２のメッセージの前記セットのうちの別の第２のメッセージに基づいて、リレーＵＥの前記セットのうちの第２のリレーＵＥに関連付けられた情報を記憶するための手段
をさらに備える、Ｃ１２に記載の装置。
［Ｃ２２］
前記リレー接続を確立するための前記手段が、前記記憶された情報に基づいて前記第２のリレーＵＥとの別のリレー接続を確立するようにさらに構成された、Ｃ２１に記載の装置。
［Ｃ２３］
ユーザ機器（ＵＥ）によるワイヤレス通信のための装置であって、
メモリと、
前記メモリに結合された少なくとも１つのプロセッサと
を備え、前記少なくとも１つのプロセッサは、
リレーＵＥのセットに、リレー接続の確立に関連付けられた第１のメッセージを送信することと、ここで、前記第１のメッセージが前記ＵＥの第１の識別子を含むためのものである、
リレーＵＥの前記セットから第２のメッセージのセットを受信することと、ここで、第２のメッセージの前記セットのうちの各第２のメッセージが、リレーＵＥの前記セットのうちのそれぞれのリレーＵＥのそれぞれの識別子を含むためのものである、
リレーＵＥの前記セットのうちの第１のリレーＵＥからの、第２のメッセージの前記セットのうちの第１の第２のメッセージに基づいて、前記第１のリレーＵＥとの前記リレー接続を確立することと
を行うように構成された、装置。
［Ｃ２４］
前記少なくとも１つのプロセッサが、第２のメッセージの前記セットのうちの前記第１の第２のメッセージに基づいて、リレーＵＥの前記セットのうちの前記第１のリレーＵＥに第３のメッセージを送信するようにさらに構成され、前記第３のメッセージは、前記第１のリレーＵＥとの前記リレー接続が確立されるべきであることを確認するためのものである、Ｃ２３に記載の装置。
［Ｃ２５］
前記少なくとも１つのプロセッサが、第２のメッセージの前記セットのうちの別の第２のメッセージに基づいて、リレーＵＥの前記セットのうちの第２のリレーＵＥに第４のメッセージを送信するようにさらに構成され、前記第４のメッセージが、前記第２のリレーＵＥとのリレー接続の確立を拒否するためのものである、Ｃ２３に記載の装置。
［Ｃ２６］
前記少なくとも１つのプロセッサが、リレーＵＥの前記セットのうちの第２のリレーＵＥに第４のメッセージを送信することを控えるようにさらに構成された、Ｃ２３に記載の装置。
［Ｃ２７］
前記第１のメッセージは、前記リレー接続に関連付けられたサービス要件、前記ＵＥが前記リレー接続を通して接続すべきであるワイヤレス通信ネットワークの識別情報、任意のワイヤレス通信ネットワークとの前記リレー接続を確立するとの指示、またはリレーＵＥの前記セットのうちの少なくとも１つのリレーＵＥに関連付けられた少なくとも１つの識別子のうちの１つまたは複数をさらに含む、Ｃ２３に記載の装置。
［Ｃ２８］
前記第１のメッセージが、物理サイドリンク発見チャネル（ＰＳＤＣＨ）上でブロードキャストされる近接ベースサービス（ＰｒｏＳｅ）発見メッセージを備える、Ｃ２３に記載の装置。
［Ｃ２９］
前記第２のメッセージが、物理サイドリンク共有チャネル（ＰＳＳＣＨ）を介して受信されるリレー関連付けメッセージを備え、ここにおいて、対応するスケジューリング割当てが物理サイドリンク制御チャネル（ＰＳＣＣＨ）を介して受信される、Ｃ２３に記載の装置。
［Ｃ３０］
ユーザ機器（ＵＥ）によるワイヤレス通信のためのコンピュータ実行可能コードを記憶するコンピュータ可読媒体であって、
リレーＵＥのセットに、リレー接続の確立に関連付けられた第１のメッセージを送信することと、ここで、前記第１のメッセージが前記ＵＥの第１の識別子を含むためのものである、
前記ＵＥによって、リレーＵＥの前記セットから第２のメッセージのセットを受信することと、ここで、第２のメッセージの前記セットのうちの各第２のメッセージが、リレーＵＥの前記セットのうちのそれぞれのリレーＵＥのそれぞれの識別子を含むためのものである、
リレーＵＥの前記セットのうちの第１のリレーＵＥからの、第２のメッセージの前記セットのうちの第１の第２のメッセージに基づいて、前記第１のリレーＵＥとの前記リレー接続を確立することと
を行うためのコードを備える、コンピュータ可読媒体。